(57)【要約】【課題】ふっくらとしたボリュームのある触感と、からっと乾いた触感とを同時に感じさせる香料組成物及び繊維製品用洗浄剤の提供。【解決手段】下記（ａ１）成分、下記（ａ２）成分及び下記（ａ３）成分を含有し、前記（ａ１）成分／（前記（ａ２）成分＋前記（ａ３）成分）で表される質量比が０．４８未満である、香料組成物。  （ａ１）成分：ネクタリル。  （ａ２）成分：イソ・イー・スーパー。  （ａ３）成分：マンダリンアルデヒド及び１，８−シネオールの少なくとも一方。【選択図】なし【特許請求の範囲】
【請求項１】
下記（ａ１）成分、下記（ａ２）成分及び下記（ａ３）成分を含有し、
前記（ａ１）成分／（前記（ａ２）成分＋前記（ａ３）成分）で表される質量比が０．４８未満である、香料組成物。
（ａ１）成分：ネクタリル。
（ａ２）成分：イソ・イー・スーパー。
（ａ３）成分：マンダリンアルデヒド及び１，８−シネオールの少なくとも一方。
【請求項２】
前記（ａ２）成分及び前記（ａ３）成分の含有量の合計が、前記香料組成物の総質量に対して、０．１〜５０質量％である、請求項１に記載の香料組成物。
【請求項３】
請求項１又は２に記載の香料組成物と、界面活性剤とを含有する、繊維製品用洗浄剤。
【発明の詳細な説明】
【技術分野】
【０００１】
本発明は、香料組成物及び繊維製品用洗浄剤に関する。
【背景技術】
【０００２】
一般に、衣料等の繊維製品の洗濯処理に用いられる洗浄剤には、繊維製品に香りを付与するなどの目的で、香料が配合されている。香りの持続性を高めるための検討もなされており、例えば、香料を含むカプセル粒子（カプセル香料）を液体洗浄剤に配合して分散させる方法が知られている（例えば特許文献１、２）。
【先行技術文献】
【特許文献】
【０００３】
【特許文献１】特開２０１６−１９９７４８号公報
【特許文献２】特開２０１７−７５２９５号公報
【発明の概要】
【発明が解決しようとする課題】
【０００４】
しかしながら、従来の香料や洗浄剤は香りの持続性の改良を目的としたものであり、洗濯処理を施すことによって、ふっくらとしたボリュームのある触感と、からっと乾いた触感とを同時に感じさせることについては、考慮されていない。
【０００５】
本発明は、ふっくらとしたボリュームのある触感と、からっと乾いた触感とを同時に感じさせる香料組成物及び繊維製品用洗浄剤の提供を目的とする。
【課題を解決するための手段】
【０００６】
本発明は、以下の態様を有する。
［１］  下記（ａ１）成分、下記（ａ２）成分及び下記（ａ３）成分を含有し、前記（ａ１）成分／（前記（ａ２）成分＋前記（ａ３）成分）で表される質量比が０．４８未満である、香料組成物。
（ａ１）成分：ネクタリル。
（ａ２）成分：イソ・イー・スーパー。
（ａ３）成分：マンダリンアルデヒド及び１，８−シネオールの少なくとも一方。
［２］  前記（ａ２）成分及び前記（ａ３）成分の含有量の合計が、前記香料組成物の総質量に対して、０．１〜５０質量％である、［１］に記載の香料組成物。
［３］  下記（ａ４）成分をさらに含有する、［１］又は［２］に記載の香料組成物。
（ａ４）成分：ベルドックス及びエチル−２−メチルブチレートの少なくとも一方。
［４］  前記（ａ１）成分と前記（ａ４）成分の含有量の合計が、前記香料組成物の総質量に対して、０．２〜２０質量％である、［３］に記載の香料組成物。
［５］  前記（ａ１）成分／前記（ａ４）成分で表される質量比が０．２〜５である、［３］又は［４］に記載の香料組成物。
［６］  下記（ａ５）成分をさらに含有する、［１］〜［５］のいずれか１つに記載の香料組成物。
（ａ５）成分：リモネン、ジヒドロミルセノール、β−ピネン、ヘキシルシンナミックアルデヒド、シクラセット、アニスアルデヒド及びサンタレックスからなる群より選ばれる１種以上。
［７］  前記（ａ２）成分と前記（ａ３）成分と前記（ａ５）成分の含有量の合計が、前記香料組成物の総質量に対して、５〜５０質量％である、［６］に記載の香料組成物。
［８］  （前記（ａ２）成分＋前記（ａ３）成分）／前記（ａ５）成分で表される質量比が０．１〜２０である、［６］又は［７］に記載の香料組成物。
［９］  （前記（ａ１）成分＋前記（ａ４）成分）／（前記（ａ２）成分＋前記（ａ３）成分＋前記（ａ５）成分）で表される質量比が０．０５〜１０である、［６］〜［８］のいずれか１つに記載の香料組成物。
［１０］  ［１］〜［９］のいずれか１つに記載の香料組成物と、界面活性剤とを含有する、繊維製品用洗浄剤。
［１１］  カチオン性ポリマーをさらに含有する、［１０］に記載の繊維製品用洗浄剤。
【発明の効果】
【０００７】
本発明によれば、ふっくらとしたボリュームのある触感と、からっと乾いた触感とを同時に感じさせる香料組成物及び繊維製品用洗浄剤を提供できる。
【発明を実施するための形態】
【０００８】
「香料組成物」
本発明の香料組成物は、以下に示す（ａ１）成分、（ａ２）成分及び（ａ３）成分を含有する。香料組成物は、以下に示す（ａ４）成分及び（ａ５）成分の少なくとも一方を含有することが好ましい。
【０００９】
＜（ａ１）成分＞
（ａ１）成分は、ネクタリル（２−［２−（４−メチル−３−シクロヘキセン−１−イル）プロピル］シクロペンタノン）である。
（ａ１）成分は、ふっくらとしたボリュームのある触感を感じさせる成分である。
（ａ１）成分は、カプセル香料として香料組成物に配合されることが好ましい。（ａ１）成分がカプセル香料として配合されることで、本発明の香料組成物を含有する繊維製品用洗浄剤を用いて洗濯処理された繊維製品を干したり、取り込んだり、畳んだりするなどして繊維製品に適度な圧力や摩擦が加わる際にカプセルがはじけて（破壊されて）、ふっくらとしたボリュームのある触感をより感じやすくなる。
【００１０】
カプセル香料は、芯物質である香料と、芯物質を覆う壁物質とで構成される。
カプセル香料は、芯物質として（ａ１）成分のみを含んでいてもよいし、（ａ１）成分と、（ａ１）成分以外の香料とを含んでいてもよい。
壁物質としては、洗浄剤や柔軟剤等に含有されるカプセルに一般的に使用される材料を用いることができる。壁物質としては、例えば、ゼラチン、寒天等の天然系高分子；油脂、ワックス等の油性膜形成物質；ポリアクリル酸系ポリマー、ポリビニル系ポリマー、ポリメタクリル酸系ポリマー、メラミン系ポリマー、ウレタン系ポリマー等の合成高分子物質などが挙げられる。これらの中でも、カプセルが破壊された際の発香性が高まる観点から、合成高分子物質が好ましく、その中でも特に、メラミン−ホルムアルデヒド樹脂、又は尿素−ホルムアルデヒド樹脂からなるアミノプラストポリマー、ポリアクリル酸系ポリマー、ポリメタクリル酸系ポリマーが好ましい。これら壁物質は、１種単独で用いられてもよく、２種以上が組み合わされて用いられてもよい。
【００１１】
カプセル香料は、公知の方法により製造でき、例えば、界面重合法、ｉｎ−ｓｉｔｕ重合法などが挙げられる。
カプセル香料の平均粒子径は、１〜５０μｍが好ましく、５〜４０μｍがより好ましく、１０〜２５μｍがさらに好ましい。
カプセル香料の平均粒子径は、レーザー回折・散乱法により測定される値である。
【００１２】
（ａ１）成分の含有量は、香料組成物の総質量に対して、０．１〜３０質量％が好ましく、１〜１０質量％がより好ましく、２〜５質量％がさらに好ましい。（ａ１）成分の含有量が上記下限値以上であれば、ふっくらとしたボリュームのある触感を充分に感じることができる。かかる効果は、（ａ１）成分の含有量が上限値を超えると頭打ちとなる。
【００１３】
＜（ａ２）成分＞
（ａ２）成分は、イソ・イー・スーパー（７−アセチル−１，２，３，４，５，６，７，８−オクタヒドロ−１，１，６，７−テトラメチルナフタレン）である。
（ａ２）成分は、からっと乾いた触感を感じさせる成分である。
（ａ２）成分は、カプセル香料として香料組成物に配合されていてもよいし、カプセルに内包されていない香料（フリー香料）として香料組成物に配合されていてもよい。また、２種類の（ａ２）成分を用いる場合、一方がカプセル香料として香料組成物に配合され、他方がフリー香料として香料組成物に配合されていてもよい。繊維製品用洗浄剤に配合できるカプセル香料の割合を考慮した場合、（ａ２）成分はフリー香料として香料組成物に配合されることが好ましい。
【００１４】
（ａ２）成分の含有量は、香料組成物の総質量に対して、０．１〜５０質量％が好ましく、２〜３０質量％がより好ましく、５〜２５質量％がさらに好ましい。（ａ２）成分の含有量が上記下限値以上であれば、からっと乾いた触感を充分に感じることができる。かかる効果は、（ａ２）成分の含有量が上限値を超えると頭打ちとなる。
【００１５】
＜（ａ３）成分＞
（ａ３）成分は、マンダリンアルデヒド（トランス−２−ドデセナール）及び１，８−シネオール（１，３，３−トリメチル−２−オキサビシクロ［２．２．２］オクタン）の少なくとも一方である。
（ａ３）成分は、からっと乾いた触感を感じさせる成分である。
（ａ３）成分は、カプセル香料として香料組成物に配合されていてもよいしフリー香料として香料組成物に配合されていてもよい。また、２種類の（ａ３）成分を用いる場合、一方がカプセル香料として香料組成物に配合され、他方がフリー香料として香料組成物に配合されていてもよい。繊維製品用洗浄剤に配合できるカプセル香料の割合を考慮した場合、（ａ３）成分はフリー香料として香料組成物に配合されることが好ましい。
【００１６】
香料組成物は、マンダリンアルデヒド及び１，８−シネオールの少なくとも一方を含有していればよいが、からっと乾いた触感をより感じることができる点で、マンダリンアルデヒド及び１，８−シネオールの両方を含有することが好ましい。
【００１７】
（ａ３）成分の含有量は、香料組成物の総質量に対して、０．０１〜５質量％が好ましく、０．２〜４質量％がより好ましく、０．５〜３質量％がさらに好ましい。
香料組成物がマンダリンアルデヒドを含有する場合、その含有量は香料組成物の総質量に対して、０．００５〜１質量％が好ましく、０．０１〜０．５質量％がより好ましく、０．０５〜０．２質量％がさらに好ましい。
香料組成物が１，８−シネオールを含有する場合、その含有量は香料組成物の総質量に対して、０．０１〜５質量％が好ましく、０．０５〜４質量％がより好ましく、０．２〜２質量％がさらに好ましい。
（ａ３）成分の含有量が上記下限値以上であれば、からっと乾いた触感を充分に感じることができる。かかる効果は、（ａ３）成分の含有量が上限値を超えると頭打ちとなる。
【００１８】
（ａ２）成分及び（ａ３）成分の含有量の合計は、香料組成物の総質量に対して、０．１〜５０質量％が好ましく、２〜３０質量％がより好ましく、５〜２５質量％がさらに好ましい。（ａ２）成分及び（ａ３）成分の含有量の合計が上記下限値以上であれば、からっと乾いた触感をより顕著に感じることができる。かかる効果は、（ａ２）成分及び（ａ３）成分の含有量の合計が上限値を超えると頭打ちとなる。
【００１９】
（ａ１）成分／（（ａ２）成分＋（ａ３）成分）で表される質量比（ａ１／（ａ２＋ａ３）比）は、０．４８未満であり、０．４５以下が好ましく、０．４０以下がより好ましく、０．３５以下がさらに好ましく、０．３０以下が特に好ましい。ａ１／（ａ２＋ａ３）比が上記上限値未満であれば、ふっくらとしたボリュームのある触感と、からっと乾いた触感とを同時に感じさせることができる。
ふっくらとしたボリュームのある触感と、からっと乾いた触感のバランスに優れる点で、ａ１／（ａ２＋ａ３）比は、０．１０以上が好ましく、０．１５以上がより好ましく、０．２０以上がさらに好ましい。
【００２０】
＜（ａ４）成分＞
（ａ４）成分は、ベルドックス（酢酸２−（ｔｅｒｔ−ブチル）シクロヘキシル）及びエチル−２−メチルブチレートの少なくとも一方である。
（ａ４）成分は、ふっくらとしたボリュームのある触感を感じさせる成分である。
（ａ４）成分は、カプセル香料として香料組成物に配合されていてもよいし、フリー香料として香料組成物に配合されていてもよい。また、２種類の（ａ４）成分を用いる場合、一方がカプセル香料として香料組成物に配合され、他方がフリー香料として香料組成物に配合されていてもよい。（ａ４）成分がカプセル香料として香料組成物に配合される場合、（ａ１）成分と（ａ４）成分は同じカプセル香料に含まれていてもよいし、（ａ１）成分と（ａ４）成分は別々のカプセル香料に含まれていてもよい。
【００２１】
（ａ４）成分の含有量は、香料組成物の総質量に対して、０．１〜１０質量％が好ましく、０．２〜７質量％がより好ましく、１〜５質量％がさらに好ましい。（ａ４）成分の含有量が上記下限値以上であれば、ふっくらとしたボリュームのある触感をより顕著に感じることができる。かかる効果は、（ａ４）成分の含有量が上限値を超えると頭打ちとなる。
【００２２】
（ａ１）成分及び（ａ４）成分の含有量の合計は、香料組成物の総質量に対して、０．２〜４０質量％が好ましく、０．２〜２０質量％がより好ましく、３〜１５質量％がさらに好ましく、５〜１０質量％が特に好ましい。（ａ１）成分及び（ａ４）成分の含有量の合計が上記下限値以上であれば、ふっくらとしたボリュームのある触感をより顕著に感じることができる。かかる効果は、（ａ１）成分及び（ａ４）成分の含有量の合計が上限値を超えると頭打ちとなる。
【００２３】
（ａ１）成分／（ａ４）成分で表される質量比（ａ１／ａ４比）は、０．２〜５が好ましく、０．４〜３がより好ましく、０．５〜２がさらに好ましい。ａ１／ａ４比が上記下限値以上であれば、ふっくらとしたボリュームのある触感をより顕著に感じることができる。かかる効果は、ａ１／ａ４比が上記上限値を超えると頭打ちとなる。
【００２４】
＜（ａ５）成分＞
（ａ５）成分は、リモネン（１−メチル−４−（１−メチルエテニル）−シクロヘキセン）、ジヒドロミルセノール（２，６−ジメチル−７−オクテン−２−オール）、β−ピネン（（１Ｓ，５Ｓ）−６，６−ジメチル−２−メチレンビシクロ［３．１．１］ヘプタン）、ヘキシルシンナミックアルデヒド（２−ヘキシル−３−フェニルアクリルアルデヒド）、シクラセット（（３ａ，４，５，６，７，７ａ−ヘキサヒドロ−４，７−メタノ−１Ｈ−インデン）−５−イル＝アセタート）、アニスアルデヒド（４−メトキシベンズアルデヒド）及びサンタレックス（イソボルニルシクロヘキサノール）からなる群より選ばれる１種以上である。
（ａ５）成分は、からっと乾いた触感を感じさせる成分である。
（ａ５）成分は、カプセル香料として香料組成物に配合されていてもよいし、フリー香料として香料組成物に配合されていてもよい。また、複数の（ａ５）成分を用いる場合、（ａ５）成分の一部がカプセル香料として香料組成物に配合され、残りがフリー香料として香料組成物に配合されていてもよい。（ａ５）成分がカプセル香料として香料組成物に配合される場合、（ａ１）成分と（ａ５）成分は同じカプセル香料に含まれていてもよいし、（ａ１）成分と（ａ５）成分は別々のカプセル香料に含まれていてもよい。また、（ａ４）成分と（ａ５）成分は同じカプセル香料に含まれていてもよいし、（ａ４）成分と（ａ５）成分は別々のカプセル香料に含まれていてもよい。
【００２５】
（ａ５）成分の含有量は、香料組成物の総質量に対して、５〜４０質量％が好ましく、１０〜３０質量％がより好ましく、１５〜２０質量％がさらに好ましい。（ａ５）成分の含有量が上記下限値以上であれば、からっと乾いた触感をより顕著に感じることができる。かかる効果は、（ａ５）成分の含有量が上限値を超えると頭打ちとなる。
【００２６】
（ａ２）成分、（ａ３）成分及び（ａ５）成分の含有量の合計は、香料組成物の総質量に対して、５〜５０質量％が好ましく、１０〜４５質量％がより好ましく、２５〜４０質量％がさらに好ましい。（ａ２）成分、（ａ３）成分及び（ａ５）成分の含有量の合計が上記下限値以上であれば、からっと乾いた触感をより顕著に感じることができる。かかる効果は、（ａ２）成分、（ａ３）成分及び（ａ５）成分の含有量の合計が上限値を超えると頭打ちとなる。
【００２７】
（（ａ２）成分＋（ａ３）成分）／（ａ５）成分で表される質量比（（ａ２＋ａ３）／ａ５比）は、０．１〜２０が好ましく、０．２〜５がより好ましく、０．５〜２がさらに好ましい。（ａ２＋ａ３）／ａ５比が上記下限値以上であれば、からっと乾いた触感をより顕著に感じることができる。かかる効果は、（ａ２＋ａ３）／ａ５比が上記上限値を超えると頭打ちとなる。
【００２８】
（（ａ１）成分＋（ａ４）成分）／（（ａ２）成分＋（ａ３）成分＋（ａ５）成分）で表される質量比（（ａ１＋ａ４）／（ａ２＋ａ３＋ａ５）比）は、０．０５〜１が好ましく、０．１〜０．５がより好ましく、０．１５〜０．３がさらに好ましい。（ａ１＋ａ４）／（ａ２＋ａ３＋ａ５）比が上記範囲内であれば、ふっくらとしたボリュームのある触感と、からっと乾いた触感のバランスに優れる。
【００２９】
＜任意成分＞
香料組成物は、本発明の効果を損なわない範囲で、前記（ａ１）〜（ａ５）成分以外の成分（任意成分）を含有してもよい。
任意成分としては、香料組成物に配合される成分として公知のものを用いることができ、例えば、前記（ａ１）〜（ａ５）成分以外の他の香料成分（任意香料成分）、香料用溶剤、酸化防止剤などが挙げられる。
【００３０】
任意香料成分としては、所望の香調等に応じ、公知の香料成分の中から適宜選択できる。任意香料成分として使用される香料原料のリストは、様々な文献、例えば「Ｐｅｒｆｕｍｅ  ａｎｄ  Ｆｌａｖｏｒ  Ｃｈｅｍｉｃａｌｓ  」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）、「合成香料  化学と商品知識」，印藤元一著，化学工業日報社（１９９６）、「Ｐｅｒｆｕｍｅ  ａｎｄ  Ｆｌａｖｏｒ  Ｍａｔｅｒｉａｌｓ  ｏｆ  ＮａｔｕｒａｌＯｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）、「香りの百科」，日本香料協会編，朝倉書店（１９８９）、「Ｐｅｒｆｕｍｅｒｙ  ＭａｔｅｒｉａｌＰｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）、「Ｆｌｏｗｅｒ  ｏｉｌｓ  ａｎｄ  Ｆｌｏｒａｌ  ＣｏｍｐｏｕｎｄｓＩｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。
【００３１】
任意香料成分の具体例としては、例えば、以下のものが挙げられる。
炭化水素系の香料成分として、例えばα−ピネン、ターピノレンなどが挙げられる。
アルコール系の香料成分として、例えばリナロール、ゲラニオール、シトロネロール、ターピネオール、ｌ−メントール、ボルネオール、フェニルエチルアルコール、チモール、オイゲノールなどが挙げられる。
エーテル系の香料成分として、例えばローズオキサイド、アネトール、エストラゴールなどが挙げられる。
アルデヒド系の香料成分として、例えばウンデシルアルデヒド、ドデシルアルデヒド、シトラール、シトロネラール、ヒドロキシシトロネラール、リラール、デュピカール、ベンズアルデヒド、シンナミックアルデヒド、クミンアルデヒド、シクラメンアルデヒド、リリアール、ヘリオトロピン、ヘリオナール、バニリンなどが挙げられる。
ケトン系の香料成分として、例えばα−イオノン、β−イオノン、α−イソメチルイオノン、α−ダマスコン、β−ダマスコン、δ−ダマスコン、ダイナスコン、マルトール、ジヒドロジャスモン、シスジャスモン、ラズベリーケトンなどが挙げられる。
エステル系の香料成分として、例えば酢酸シス−３−ヘキセニル、酢酸リナリル、酢酸ｐ−ｔ−ブチルシクロヘキシル、酢酸トリシクロデセニル、酢酸ベンジル、酢酸フェニルエチル、２−メチル酢酸エチル、ジヒドロジャスモン酸メチル、メチルフェニルグリシド酸エチル、フルテートなどが挙げられる。
ラクトン系の香料成分として、例えばγ−ノナラクトン、γ−デカラクトン、γ−ウンデカラクトン、クマリンなどが挙げられる。
ムスク系の香料成分としては、例えばガラクソリド、シクロペンタデカノリド、エチレンブラシレート、６−アセチルヘキサテトラリン、ヘキサメチルヘキサヒドロシクロペンタベンゾピランなどが挙げられる。
これら任意香料成分は、１種単独で用いられてもよく、２種以上が組み合わされて用いられてもよい。
【００３２】
任意香料成分は、カプセル香料として香料組成物に配合されていてもよいし、フリー香料として香料組成物に配合されていてもよい。また、複数の任意香料成分を用いる場合、任意香料成分の一部がカプセル香料として香料組成物に配合され、残りがフリー香料として香料組成物に配合されていてもよい。任意香料成分がカプセル香料として香料組成物に配合される場合、（ａ１）成分と任意香料成分は同じカプセル香料に含まれていてもよいし、（ａ１）成分と任意香料成分は別々のカプセル香料に含まれていてもよい。
任意香料成分の含有量は、香料組成物の総質量に対して、０〜９０質量％が好ましく、１０〜８５質量％がより好ましい。
【００３３】
香料用溶剤としては、例えば、エタノール、アセチン（トリアセチン）、ＭＭＢアセテート（３−メトキシ−３−メチルブチルアセテート）、スクロースジアセテートヘキサイソブチレート、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、１，３−ブチレングリコール、ジブチルヒドロキシトルエン、ハーコリンなどが挙げられる。これら香料用溶剤は、１種単独で用いられてもよく、２種以上が組み合わされて用いられてもよい。
香料用溶剤の含有量は、香料組成物の総質量に対して、０〜３０量％が好ましく、１〜２０質量％がより好ましい。
【００３４】
酸化防止剤としては、ＢＨＴ（ジブチルヒドロキシトルエン）、ＢＨＡ（ブチルヒドロキシアニソール）、ビタミンＥ（トコフェロール）、ビタミンＥ誘導体、エリソルビン酸ナトリウム、メトキシフェノール、二酸化硫黄、コーヒー豆抽出物（クロロゲン酸）、緑茶抽出物（カテキン）、ローズマリー抽出物などが挙げられる。これら酸化防止剤は、１種単独で用いられてもよく、２種以上が組み合わされて用いられてもよい。
酸化防止剤の含有量は、香料組成物の総質量に対して、０．０００１〜１０質量％が好ましく、０．００１〜５質量％がより好ましい。
なお、本発明の香料組成物の各成分の含有量の合計は、１００質量％を超えない。
【００３５】
＜製造方法＞
香料組成物の製造方法は特に限定されず、常法により製造できる。例えば、各成分を香料用溶剤に加え、撹拌することで製造することができる。
【００３６】
上述した香料成分である（ａ１）〜（ａ５）成分及び任意香料成分は、その全てがフリー香料として香料組成物に配合されていてもよいし、その全てがカプセル香料として香料組成物に配合されていてもよい。また、香料成分の一部がカプセル香料として香料組成物に配合され、残りがフリー香料として香料組成物に配合されていてもよい。すなわち、香料組成物は、香料成分としてフリー香料のみを含んでいてもよいし、カプセル香料のみを含んでいてもよいし、フリー香料とカプセル香料の両方を含んでいてもよい。
香料組成物がフリー香料とカプセル香料の両方を含む場合、フリー香料／カプセル香料で表される質量比（フリー香料／カプセル香料比）は、１〜２０が好ましく、１〜１０がより好ましい。フリー香料／カプセル香料比が上記範囲内であれば、本発明の香料組成物を含有する繊維製品用洗浄剤を用いて洗濯処理された繊維製品を、干しているときにはからっと乾いた触感をより顕著に感じることができ、繊維製品を取り込んだり畳んだりするなどして繊維製品に適度な圧力や摩擦が加わる際にカプセルがはじけて（破壊されて）、ふっくらとしたボリュームのある触感をより感じやすくなる。
【００３７】
＜使用方法＞
本発明の香料組成物は、消臭剤、洗浄剤、柔軟剤等の繊維製品処理剤などの香料として使用することができる。特に、本発明の香料組成物は繊維製品用洗浄剤の香料組成物として好適に使用できる。
【００３８】
＜効果＞
以上説明した本発明の香料組成物は、上述した（ａ１）成分、（ａ２）成分及び（ａ３）成分を特定の質量比で含有するので、ふっくらとしたボリュームのある触感と、からっと乾いた触感とを同時に感じさせることができる。
【００３９】
「繊維製品用洗浄剤」
本発明の繊維製品用洗浄剤（以下、単に「洗浄剤」ともいう。）は、上述した本発明の香料組成物（以下、「（Ａ）成分」ともいう。）と、界面活性剤（以下、「（Ｂ）成分」ともいう。）とを含有する。洗浄剤は、カチオン性ポリマー（以下、「（Ｃ）成分」ともいう。）をさらに含有することが好ましい。
【００４０】
＜（Ａ）成分＞
（Ａ）成分は、本発明の香料組成物である。
（Ａ）成分の含有量は、洗浄剤の総質量に対して、０．１〜３質量％が好ましく、０．２〜１質量％がより好ましい。（Ａ）成分の含有量が上記範囲内であれば、本発明の洗浄剤を用いて洗濯処理した繊維製品を触ったときに、充分なふっくらとしたボリュームのある触感と、からっと乾いた触感とを同時に感じることができる。
【００４１】
（Ａ）成分がフリー香料を含む場合、フリー香料の含有量は、洗浄剤の総質量に対して、０．１〜３質量％が好ましく、０．２〜２質量％がより好ましく、０．３〜１．５質量％がさらに好ましく、０．５〜１質量％が特に好ましい。フリー香料の含有量が上記下限値以上であれば、からっと乾いた触感をより顕著に感じることができる。かかる効果は、フリー香料の含有量が上記上限値を超えると頭打ちとなる。
（Ａ）成分がカプセル香料を含む場合、カプセル香料の含有量は、洗浄剤の総質量に対して、０．０５〜１質量％が好ましく、０．０５〜０．５質量％がより好ましく、０．１〜０．２質量％がさらに好ましい。カプセル香料の含有量が上記下限値以上であれば、カプセル香料の芯物質の効果が充分に得られる。かかる効果は、カプセル香料の含有量が上記上限値を超えると頭打ちとなる。
【００４２】
＜（Ｂ）成分＞
（Ｂ）成分は、界面活性剤である。
（Ｂ）成分を含有することで、本発明の洗浄剤が各種の汚れに対する洗浄性能を発揮する。
（Ｂ）成分としては、繊維製品用の洗浄剤に配合される成分として公知のものを用いることができ、例えばアニオン界面活性剤、ノニオン界面活性剤、カチオン界面活性剤、両性界面活性剤、半極性界面活性剤などが挙げられる。
【００４３】
（アニオン界面活性剤）
アニオン界面活性剤は、公知のアニオン界面活性剤の中から適宜選択して用いることができる。
本発明において好ましく用いられるアニオン界面活性剤としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩などが挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩などが挙げられる。
これらのうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのエチレンオキシドを付加したもの（すなわち、ポリオキシエチレンアルキルエーテル硫酸エステル塩又はポリオキシエチレンアルケニルエーテル硫酸エステル塩）が好ましい。
アルカンスルホン酸塩としては、アルキル基の炭素数が１０〜２０のものが好ましく、１４〜１７のものがより好ましい。中でも、前記アルキル基が２級アルキル基であるもの（すなわち、２級アルカンスルホン酸塩）が特に好ましい。
α−スルホ脂肪酸エステル塩としては、例えばα−スルホ脂肪酸エステルがＲａＣＨ（ＳＯ３Ｍ）ＣＯＯＲｂ（但し、Ｒａ及びＲｂはそれぞれ独立して炭化水素基であり、Ｍは対イオンである。）で表される化合物の場合、その化合物が有する脂肪酸残基（すなわち、Ｒａ−Ｃ（Ｈ）−ＣＯＯで表される基）の炭素数が１０〜２０のものが好ましい。
これらの中でも、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる少なくとも１種のアニオン界面活性剤がさらに好ましく、ポリオキシエチレンアルキルエーテル硫酸エステル塩が特に好ましい。
【００４４】
アニオン界面活性剤として、上記以外の他のアニオン界面活性剤を用いてもよい。他のアニオン界面活性剤としては、例えば、炭素数１０〜２０の高級脂肪酸又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
これらのアニオン界面活性剤は、市販品を用いてもよい。
【００４５】
アニオン界面活性剤として、ＳＯ３基又はＳＯ４基を有するアニオン界面活性剤と、炭素数８〜２２の脂肪酸（高級脂肪酸）又はその塩（高級脂肪酸塩）を併用することが好ましい。
高級脂肪酸としては、例えばカプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸の塩、ヤシ油脂肪酸、牛脂脂肪酸等の混合脂肪酸などが挙げられる。
これらの高級脂肪酸における塩としては、ナトリウム塩、カリウム塩等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩などが挙げられる。
【００４６】
（ノニオン界面活性剤）
ノニオン界面活性剤としては特に限定されないが、例えばポリオキシアルキレン型ノニオン界面活性剤、アルキルフェノール、炭素数８〜２２の脂肪酸又は炭素数８〜２２のアミン等のアルキレンオキサイド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキサイド付加体、多価アルコール脂肪酸エーテル、アルキル（又はアルケニル）アミンオキサイド、硬化ヒマシ油のアルキレンオキサイド付加体、糖脂肪酸エステル、Ｎ−アルキルポリヒドロキシ脂肪酸アミド、アルキルグリコシドなどが挙げられる。
洗浄剤が液体の場合、ノニオン界面活性剤としては、上記の中でも、液体洗浄剤の粘度を適度に保持しつつ、外観安定性が向上する点で、ポリオキシアルキレン型ノニオン界面活性剤が好ましい。
【００４７】
ポリオキシアルキレン型ノニオン界面活性剤としては、例えば下記一般式（ｂ−１）で表される化合物（以下、「化合物（ｂ１）」という。）、下記一般式（ｂ―２）で表される化合物（以下、「化合物（ｂ２）」という。）などが挙げられる。これらはいずれか１種を単独で用いてもよく、２種以上を併用してもよい。
Ｒ５１−ＣＯ−（ＯＲ５２）ｍ−ＯＲ５３  ・・・（ｂ−１）
Ｒ５４−Ｏ−［（ＥＯ）ｓ／（ＰＯ）ｔ］Ｈ  ・・・（ｂ−２）
【００４８】
式（ｂ−１）中、Ｒ５１は炭素数９〜１３の炭化水素基であり、Ｒ５２は炭素数２〜４のアルキレン基であり、Ｒ５３は炭素数１〜４のアルキル基である。ｍはＯＲ５２の平均繰り返し数を示し、５〜２５の数である。複数のＲ５２は、相互に同じであってもよく異なってもよい。複数のＲ５２が異なる場合、それらはブロック状に付加していてもよく、ランダム状に付加していてもよい。
式（ｂ−２）中、Ｒ５４は炭素数１０〜２２の炭化水素基であり、ＥＯはオキシエチレン基であり、ＰＯはオキシプロピレン基である。ｓはＥＯの平均繰り返し数を示し、５〜２０の数であり、ｔはＰＯの平均繰り返し数を示し、０〜４の数である。ＥＯとＰＯとは、ブロック状に付加していてもよく、ランダム状に付加していてもよい。
【００４９】
ノニオン界面活性剤としては、特に皮脂汚れに対する洗浄力が高まる、高濃度領域でゲル化しにくい等の点から、化合物（ｂ１）及び化合物（ｂ２）成分からなる群より選択される少なくとも１種が好ましい。この中でも、化合物（ｂ１）と化合物（ｂ２）との組合せ、又は化合物（ｂ１）を用いることがより好ましい。また、洗浄剤が液体の場合、高濃度領域でゲル化しにくい点から、化合物（ｂ１）及び化合物（ｂ２）成分からなる群より選択される少なくとも１種が好ましい。この中でも、化合物（ｂ１）と化合物（ｂ２）との組合せ、又は化合物（ｂ１）を用いることがより好ましい。
化合物（ｂ１）としては、上述した中でも、Ｒ５２がエチレン基であるポリオキシエチレン脂肪酸アルキルエステルが好ましく、その中でもＲ５３がメチル基であるポリオキシエチレン脂肪酸メチルエステル（以下、「ＭＥＥ」と記載することがある。）が特に好ましい。これらは高濃度においてもゲル化領域が小さいため、高配合時にゲル化が生じにくい。
また、洗浄剤が液体の場合、液体洗浄剤がポリオキシエチレン脂肪酸アルキルエステルを含有することにより、水への溶解性が良好となり、高い洗浄力が得られやすいものとなる。また、高濃度の界面活性剤を含有しても粘度の著しい増大（ゲル化）が生じにくく、良好な流動性を有する濃縮型の液体洗剤とすることができる。係る理由は以下のように考えられる。
ポリオキシエチレン脂肪酸アルキルエステル、特にＭＥＥは、水溶液系中で分子同士の配向性が弱く、ミセルが不安定なノニオン界面活性剤であるため、高濃度でゲル化等が生じにくく、１種単独で多量に液体洗剤中に配合することができると推測される。また水への溶解性が向上すると推測される。さらに、高濃度での良好な流動性に寄与していると考えられる。したがって、ポリオキシエチレン脂肪酸アルキルエステルが洗濯機槽内の水中へ投入された場合、洗濯液中のポリオキシエチレン脂肪酸アルキルエステルの濃度は素早く均一となり、洗浄初期から所定の濃度で繊維製品と接することができるため、高い洗浄力が得られると考えられる。
さらに、化合物（ｂ２）としては、上述した中でも、第１級アルコールに酸化エチレンを付加した第１級アルコールエトキシレートが特に好ましい。
【００５０】
（カチオン界面活性剤）
カチオン界面活性剤としては、例えばアルキルトリメチルアンモニウム塩、ジアルキルジメチルアンモニウム塩、アルキルベンジルジメチルアンモニウム塩、アルキルピリジニウム塩の陽イオン性界面活性剤などが挙げられる。
また、カチオン界面活性剤としては、上述した以外にも、例えばカプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドアルキル３級アミン又はこれらの塩；パルミチン酸ジエタノールアミノプロピルアミド、ステアリン酸ジエタノールアミノプロピルアミドなどが挙げられる。
カチオン界面活性剤の分子量は、１０００未満であることが好ましい。
【００５１】
（両性界面活性剤）
両性界面活性剤としては、例えばアルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤などが挙げられる。
【００５２】
（Ｂ）成分は、上述の界面活性剤が１種単独で用いられてもよく、２種以上が組み合わされて用いられてもよい。特に、洗浄性能をより高められる点で、（Ｂ）成分としてはアニオン界面活性剤、ノニオン界面活性剤が好ましく、アニオン界面活性剤とノニオン界面活性剤とを併用することがより好ましい。
（Ｂ）成分の含有量は、洗浄剤の総質量に対して、１５〜７９質量％が好ましく、２０〜６０質量％がより好ましく、３０〜５５質量％がさらに好ましい。（Ｂ）成分の含有量が上記下限値以上であれば、洗浄力及び再汚染防止性が向上しやすくなる。（Ｂ）成分の含有量が上記上限値以下であれば、ふっくらとしたボリューム感の付与効果がより向上する。
【００５３】
アニオン界面活性剤の含有量は、洗浄剤の総質量に対し、１〜３０質量％が好ましく、５〜２０質量％がより好ましく、７〜１５質量％がさらに好ましい。アニオン界面活性剤の含有量が上記下限値以上であれば、（Ａ）成分の溶解性が高まるとともに、再汚染防止性が向上しやすくなる。アニオン界面活性剤の含有量が上記上限値以下であれば、ボリューム感を付与しやすくなる。
【００５４】
ノニオン界面活性剤の含有量は、洗浄剤の総質量に対し、１０〜５０質量％が好ましく、１０〜４０質量％がより好ましく、１５〜３０質量％がさらに好ましい。ノニオン界面活性剤の含有量が上記下限値以上であれば、洗浄力が高まるとともに、（Ａ）成分の分散性が向上する。ノニオン界面活性剤の含有量が上記上限値以下であれば、使用性が向上する。
【００５５】
＜（Ｃ）成分＞
（Ｃ）成分は、カチオン性ポリマーである。
本明細書においてカチオン性ポリマーとは、１分子中に１つ以上のカチオン性基を有するポリマーである。
（Ｃ）成分は、下記一般式（ｃ−１）で表される繰り返し単位、及び下記一般式（ｃ−２）で表される繰り返し単位からなる群から選択される少なくとも１種の繰り返し単位を有することが好ましい。
【００５６】
【化１】
2019218523.tif 000002
【００５７】
一般式（ｃ−１）中、Ｒ１、Ｒ２は、それぞれ独立して炭素数１〜３のアルキル基又は炭素数１〜３のヒドロキシアルキル基であり、Ｘ−は対イオンである。
【００５８】
【化２】
2019218523.tif 000003
【００５９】
一般式（ｃ−２）中、Ｒ３、Ｒ４は、それぞれ独立して炭素数１〜３のアルキル基又は炭素数１〜３のヒドロキシアルキル基であり、Ｘ−は対イオンである。
【００６０】
（Ｃ）成分は、さらに下記一般式（ｃ−３）で表される繰り返し単位、及び下記一般式（ｃ−４）で表される繰り返し単位からなる群から選択される少なくとも１種を有することが好ましい。
【００６１】
【化３】
2019218523.tif 000004
【００６２】
一般式（ｃ−３）中、Ｒ５は、水素原子又は炭素数１〜３のアルキル基であり、Ｒ６、Ｒ７は、それぞれ独立して、水素原子又は炭素数１〜３のアルキル基もしくは炭素数１〜３のヒドロキシアルキル基である。
【００６３】
【化４】
2019218523.tif 000005
【００６４】
一般式（ｃ−４）中、Ｒ１０は、水素原子又は炭素数１〜３のアルキル基である。
【００６５】
なお、上記一般式（ｃ−１）で表される繰り返し単位、及び上記一般式（ｃ−２）で表される繰り返し単位は、下記一般式（ｃ−５）で表されるジアルキルジアリルアンモニウム塩モノマーに由来する繰り返し単位である。
【００６６】
【化５】
2019218523.tif 000006
【００６７】
一般式（ｃ−５）中、Ｒ８、Ｒ９は、それぞれ独立して、炭素数１〜３のアルキル基又は炭素数１〜３のヒドロキシアルキル基であり、Ｘ−は対イオンである。
【００６８】
上記一般式（ｃ−１）、（ｃ−２）及び（ｃ−５）におけるＸ−としては、塩素イオン、臭素イオン等のハロゲンイオン、硫酸イオン、硝酸イオン、亜硫酸イオン等の無機酸イオン、メチル硫酸イオン、酢酸イオン、乳酸イオン等の有機酸イオンなどが挙げられる。
【００６９】
（Ｃ）成分の質量平均分子量は、通常１，０００〜５，０００，０００であり、３，０００〜２，０００，０００が好ましく、１０，０００〜２，０００，０００がより好ましい。
なお、本明細書における質量平均分子量は、ポリエチレングリコールを標準物質として、ゲル浸透クロマトグラフィー（ＧＰＣ）により求めた値を意味する。
【００７０】
（Ｃ）成分の重合の形態は、特に限定されず、ブロック重合、ランダム重合又はグラフト重合のいずれであってもよい。
（Ｃ）成分中の（ｃ−１）で表される繰り返し単位、及び（ｃ−２）で表される繰り返し単位と、（ｃ−３）で表される繰り返し単位、及び（ｃ−４）で表される繰り返し単位との含有比は特に限定されないが、（ｃ−１）で表される繰り返し単位、及び（ｃ−２）で表される繰り返し単位と、（ｃ−３）で表される繰り返し単位、及び（ｃ−４）で表される繰り返し単位とのモル比が、［（ｃ−１）で表される繰り返し単位、及び（ｃ−２）で表される繰り返し単位の合計］：［（ｃ−３）で表される繰り返し単位、及び（ｃ−４）で表される繰り返し単位の合計］＝１：９〜７：３が好ましく、２：８〜６：４がより好ましい。
【００７１】
上記一般式（ｃ−１）で表される繰り返し単位、及び上記一般式（ｃ−２）で表される繰り返し単位からなる群から選択される少なくとも１種の繰り返し単位を有するポリマーとしては、ジアリルジメチルアンモニウムクロライドから誘導されるポリマーが挙げられ、市販品としては、例えばＬｕｂｒｉｚｏｌ社製の商品名「マーコート１００」が挙げられる。
【００７２】
上記一般式（ｃ−１）で表される繰り返し単位、及び上記一般式（ｃ−２）で表される繰り返し単位からなる群から選択される少なくとも１種の繰り返し単位と、上記一般式（ｃ−３）で表される繰り返し単位、及び上記一般式（ｃ−４）で表される繰り返し単位からなる群から選択される少なくとも１種の繰り返し単位とを有するポリマーとしては、ジアリルジメチルアンモニウムクロライド・アクリルアミドコポリマー、ジアリルジメチルアンモニウムクロライド・アクリル酸コポリマー、ジアリルジメチルアンモニウムクロライド・アクリルアミド・アクリル酸ターポリマーなどが挙げられる。
これらのポリマーとしては、合成品を用いてもよいし、市販品を用いてもよい。
【００７３】
上記ポリマーは、特に限定されないが、通常のラジカル重合により製造できる。例えば、ジアリルジメチルアンモニウムクロライドや、アクリルアミド等の（Ｃ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００７４】
上記コポリマーの市販品としては、例えばＬｕｂｒｉｚｏｌ社製の商品名「マーコート５５０」、「マーコート７４０」、「マーコート２２００」、「Ｎｏｖｅｒｉｔｅ３００」、「Ｎｏｖｅｒｉｔｅ３０２」などが挙げられる。
また、上記ターポリマーの市販品としては、例えばＬｕｂｒｉｚｏｌ社製の商品名「マーコート３３３０」、「マーコート３９４０」などが挙げられる。
【００７５】
（Ｃ）成分は、１種単独で用いられてもよく、２種以上が組み合わされて用いられてもよい。
（Ｃ）成分の含有量は、洗浄剤の総質量に対して、０．０１〜５質量％が好ましく、０．０５〜３質量％がより好ましく、０．１〜１質質量％がさらに好ましい。（Ｃ）成分は、繊維にふっくらとしたボリューム感を付与する効果がある。（Ｃ）成分の含有量が上記範囲内であれば、（Ａ）成分によるふっくらとしたボリュームのある触感と、からっと乾いた触感を顕著に感じることができる。特に、（Ｃ）成分の含有量が上記下限値以上であれば、ふっくらとしたボリューム感の付与効果がより向上する。加えて、液安定性が向上する。（Ｃ）成分の含有量が上記上限値以下であれば、使用性及び再汚染防止性が向上する。
【００７６】
＜任意成分＞
洗浄剤は、本発明の効果を損なわない範囲内であれば、前記（Ａ）成分、（Ｂ）成分及び（Ｃ）成分以外の成分（任意成分）を含有してもよい。
任意成分としては、洗浄剤に配合される成分として公知のものを用いることができ、例えば、洗浄性ビルダー、色素、蛍光増白剤、漂白剤、漂白活性化剤、漂白活性化触媒、酵素、酵素安定剤、ポリマー類、ケーキング防止剤、消泡剤、防腐剤、還元剤、金属イオン捕捉剤、粘土鉱物、紫外線吸収剤、酸化防止剤、移染防止剤、再汚染防止剤、パール剤、ソイルリリース剤、ハイドロトロープ剤、ｐＨ調整剤、水、有機溶剤などが挙げられる。
【００７７】
＜剤形・物性＞
本発明の洗浄剤の剤形は、固形でも液体でもよい。
固形洗浄剤は、粒状（粉末、顆粒）洗浄剤、タブレット洗浄剤、ブリケット洗浄剤、バー状洗浄剤、粒状洗浄剤又はペースト状洗浄剤を水溶性フィルム、シートなどで個別包装した分包型洗浄剤等の各種剤型に調製したものの総称である。
【００７８】
本発明の洗浄剤が液体洗浄剤の場合、水の含有量は液体洗浄剤の総質量に対して、４０〜９０質量％が好ましく、５０〜８０質量％がより好ましい。
また、液体洗浄剤の２５℃におけるｐＨは５〜９が好ましく、６〜８がより好ましい。液体洗浄剤のｐＨは、必要に応じて、ｐＨ調整剤を添加することにより調整できる。
液体洗浄剤のｐＨは、必要に応じて、ｐＨ調整剤を配合することにより調整できる。ｐＨ調整剤としては、本発明の効果を損なわない限りにおいて随意であるが、例えば、硫酸、塩酸、水酸化ナトリウム、水酸化カリウム、アルカノールアミンなどが挙げられる。
本明細書におけるｐＨは、測定対象を２５℃とし、ｐＨメーター（製品名：ＨＭ−３０Ｇ、東亜ディーケーケー株式会社製）により測定される値を意味する。
【００７９】
＜製造方法＞
洗浄剤は、従来公知の製造方法によって製造される。
液体洗浄剤の製造方法としては、例えば、分散媒である水に、（Ａ）成分及び（Ｂ）成分と、必要に応じて（Ｃ）成分及び任意成分とを加えて混合する方法などが挙げられる。
固形洗浄剤の製造方法としては、例えば、（Ａ）成分及び（Ｂ）成分と、必要に応じて（Ｃ）成分及び任意成分とを水に分散・溶解し噴霧乾燥する方法、（Ｂ）成分と、必要に応じて（Ｃ）成分及び任意成分とを含む粒子群に（Ａ）成分を噴霧する方法、（Ａ）成分及び（Ｂ）成分と、必要に応じて（Ｃ）成分及び任意成分とを捏和・押出、撹拌造粒、転動造粒等の装置に供して、捏和や造粒、圧縮成形等を施し、さらに必要に応じて粉砕等する方法、これらの方法により得られた粒状物を任意の剤形に成形する方法などが挙げられる。
【００８０】
＜使用方法＞
本発明の洗浄剤の使用方法、すなわち本発明の洗浄剤を用いた繊維製品の洗濯方法は特に限定はされず、公知の洗浄剤による洗濯方法と同様であってよい。具体的には、本発明の洗浄剤を単独で、又は公知の漂白剤や柔軟剤と共に水に入れて洗浄液とし、この洗浄液に繊維製品を入れ洗濯機で洗浄する方法、洗浄液に繊維製品を一定時間漬け置きした後、その後、洗濯機で洗浄する方法などが挙げられる。また、本発明の洗浄剤が液体洗浄剤の場合、この液体洗浄剤を繊維製品の汚れ部分に塗布して適宜放置し、その後、洗濯機で洗浄してもよい。
繊維製品としては、例えば、衣料、布巾、シーツ、カーテン、枕カバーなどが挙げられる。繊維製品の素材は特に限定されず、綿、絹、羊毛等の天然繊維、ポリエステル、ポリアミド等の化学繊維等のいずれでもよい。
【００８１】
＜効果＞
以上説明した本発明の洗浄剤は、上述した本発明の香料組成物を含有するので、本発明の洗浄剤を用いて繊維製品を洗濯処理すれば、ふっくらとしたボリュームのある触感と、からっと乾いた触感とを同時に感じることができる。
【実施例】
【００８２】
以下、実施例を示して本発明を詳細に説明するが、本発明は以下の記載によって限定されるものではない。
【００８３】
「実施例１〜３、比較例１〜３」
表１に示す組成に従い各成分を混合して各例の香料組成物を得た。
表１中の配合量の単位は「質量％」である。
得られた各例の香料組成物について、下記の方法でふっくらとしたボリュームのある触感及びからっと乾いた触感を評価した。結果を表２に示す。
【００８４】
＜ふっくらとしたボリュームのある触感及びからっと乾いた触感の評価方法＞
評価は特徴的な臭気のない部屋で、室温（２５℃）で行った。
まず、各例の香料組成物を下記組成の希釈液で１０倍に希釈し、ファン式芳香器のオイルマットに希釈した香料組成物０．５ｇを塗布した後、評価開始の３０分前から評価終了までファン式芳香器を稼働させ、香料組成物を室内に充満させた。なお、被験者の目の前の壁に、一般家庭の部屋（居間）の写真（Ａ０サイズ）を貼って、被験者の注意が香りに向かないよう留意した。
香料組成物が充満した室内で、被験者にタオルを干す、取り込む、畳む作業を行ってもらい、下記の評価基準に基づき、ふっくらとしたボリュームのある触感及びからっと乾いた触感を評価した。
【００８５】
（希釈液の組成）
・ポリオキシエチレンアルキルエーテル（商品名「ＣＯ−１２７０」、天然アルコール、Ｐ＆Ｇ社製）に対して、平均１５モル相当のエチレンオキシドを付加したもの）：２０質量％。
・エタノール（商品名「特定アルコール９５度合成」、日本アルコール販売株式会社製）：１０質量％。
・水：バランス（全体が１００質量％なるように調整）。
【００８６】
（ふっくらとしたボリュームのある触感の評価基準）
○：ふっくら心地よいイメージを感じる。
△：ふっくら心地よいイメージをやや感じる。
×：ふっくら心地よいイメージを感じない。
【００８７】
（からっと乾いた触感の評価基準）
○：カラっとしたイメージを感じる。
△：カラっとしたイメージをやや感じる。
×：カラっとしたイメージを感じない。
【００８８】
（総合評価）
上記のふっくらとしたボリュームのある触感及びからっと乾いた触感の評価に基づいて、下記評価基準にて総合評価した。
◎：ふっくらとしたボリュームのある触感及びからっと乾いた触感が両者共に「○」である。
○：ふっくらとしたボリュームのある触感及びからっと乾いた触感のうち、一方が「○」であり、他方が「△」である。
△：ふっくらとしたボリュームのある触感及びからっと乾いた触感が両者共に「△」である、或いは、一方が「〇又は△」であり、他方が「×」である。
×：ふっくらとしたボリュームのある触感及びからっと乾いた触感が両者共に「×」である。
【００８９】
【表１】
2019218523.tif 000007
【００９０】
【表２】
2019218523.tif 000008
【００９１】
表１及び下記表３中、「ＤＰＧ」は、ジプロピレングリコールである。「（１０質量％ＤＰＧ）」は、香料成分が、この香料成分の総質量に対して９０質量％のＤＰＧを含むことを意味する。例えば、実施例１における「マンダリンアルデヒド（１０質量％ＤＰＧ）」の配合量（０．２質量％）の内訳は、マンダリンアルデヒドが０．０２質量％であり、ＤＰＧが０．１８質量％である。なお、香料用溶剤として用いたＤＰＧの配合量には、香料成分由来のＤＰＧの量は含まれない。
また、「ａ１／（ａ２＋ａ３）比」は、（ａ１）成分／（（ａ２）成分＋（ａ３）成分）で表される質量比である。「ａ１／ａ４比」は、（ａ１）成分／（ａ４）成分で表される質量比である。「（ａ２＋ａ３）／ａ５比」は、（（ａ２）成分＋（ａ３）成分）／（ａ５）成分で表される質量比である。「（ａ１＋ａ４）／（ａ２＋ａ３＋ａ５）比」は、（（ａ１）成分＋（ａ４）成分）／（（ａ２）成分＋（ａ３）成分＋（ａ５）成分）で表される質量比である。「ａ１＋ａ４」は、香料組成物の総質量に対する（ａ１）成分と（ａ４）成分の含有量の合計（質量％）である。「ａ２＋ａ３＋ａ５」は、香料組成物の総質量に対する（ａ２）成分と（ａ３）成分と（ａ５）成分の含有量の合計（質量％）である。
【００９２】
表２の結果から、（ａ１）成分、（ａ２）成分及び（ａ３）成分を含有し、かつａ１／（ａ２＋ａ３）比が０．４８未満である実施例１〜３の香料組成物は、ふっくらとしたボリュームのある触感と、からっと乾いた触感とを同時に感じさせることができた。
（ａ１）成分、（ａ２）成分及び（ａ３）成分を含まない比較例１の香料組成物では、ふっくらとしたボリュームのある触感と、からっと乾いた触感を感じさせることができなかった。
（ａ１）成分を含まない比較例２の香料組成物では、ふっくらとしたボリュームのある触感を感じさせることができなかった。
（ａ２）成分を含まず、かつａ１／（ａ２＋ａ３）比が０．４８超である比較例３の香料組成物では、からっと乾いた触感を感じさせることができなかった。
【００９３】
「実施例４」
表３に示す香料の組成に基づき、カプセル香料及びフリー香料をそれぞれ得た。
カプセル香料とフリー香料とを、フリー香料／カプセル香料比が９となる割合（質量比）で混合し、香料組成物αを得た。
表３中の配合量の単位は「質量％」である。
【００９４】
【表３】
2019218523.tif 000009
【００９５】
得られた香料組成物αを用い、下記の組成（単位：質量％）の液体洗剤剤を調製した。
得られた液体洗剤剤について、下記の方法でふっくらとしたボリュームのある触感及びからっと乾いた触感を評価した。
【００９６】
＜液体洗剤剤の組成＞
（Ａ）成分
・香料組成物α（フリー香料／カプセル香料比＝９）：１質量％。
（Ｂ）成分
・ポリオキシエチレンアルキルエーテル（商品名「ＣＯ−１２７０」、天然アルコール、Ｐ＆Ｇ社製）に対して、平均１５モル相当のエチレンオキシドを付加したもの）：１０質量％。
・Ｃ１１Ｈ２３ＣＯ（ＯＣＨ２ＣＨ２）ｍＯＣＨ３とＣ１３Ｈ２７ＣＯ（ＯＣＨ２ＣＨ２）ｍＯＣＨ３との質量比で８／２の混合物、ｍ＝平均１５、ナロー率３３質量％、合成品：１２質量％。
・直鎖アルキルベンゼンスルホン酸（商品名「ライポンＬＨ−２００」、平均分子量３２２、ライオン株式会社製）：１２質量％。
・ヤシ油脂肪酸（商品名「椰子脂肪酸」、消泡剤、日油株式会社製）：４質量％。
（Ｃ）成分
・ジメチルジアリルアンモニウム・アクリルアミドコポリマー（商品名「Ｎｏｖｅｒｉｔｅ３００」、Ｌｕｂｒｉｚｏｌ社製）、式（ｃ−５）中、Ｒ８＝メチル基、Ｒ９＝メチル基、Ｘ＝Ｃｌ−の化合物、及びアクリルアミドから誘導されるコポリマー、質量平均分子量：１６０万。：０．３質量％。
（任意成分）
・ポリエチレングリコール（商品名「ＰＥＧ＃１０００−６０Ｌ」、ライオン株式会社製）：２質量％。
・安息香酸ナトリウム（商品名「安息香酸ナトリウム」、東亞合成株式会社製）：０．５質量％。
・エタノール（商品名「特定アルコール９５度合成」、日本アルコール販売株式会社製）：２質量％。
・３−メトキシ−３−メチルブタノール（商品名「ソルフィット」、株式会社クラレ製）：５質量％。
・クエン酸（商品名「液体クエン酸」、一方社油脂工業株式会社製）：０．５質量％。
・モノエタノールアミン（株式会社日本触媒製）：液体洗浄剤の２５℃におけるｐＨを７とする量。
・アクリル酸アルキル、メタクリル酸アルキル、アクリル酸、及びメタクリル酸からなる群から選択される２種類以上のモノマーからなる架橋型共重合体（商品名「Ｃａｒｂｏｐｏｌ  Ａｑｕａ３０」、Ｌｕｂｒｉｚｏｌ社製）：１．５質量％。
・ジブチルヒドロキシトルエン（商品名「ＳＵＭＩＬＺＥＲ  ＢＨＴ−Ｒ」、住友化学株式会社製）：０．０５質量％。
・ソイルリリースポリマー（商品名「ＴｅｘＣａｒｅ  ＳＲＮ−１７０Ｃ」、質量平均分子量＝２０００〜３０００、クラリアントジャパン株式会社製）：０．５質量％。
・黄色２０３号（商品名「黄色２０３号」、色素、癸巳化成株式会社製）：０．０００１５質量％。
・赤色１０６号（商品名「赤色１０６号」、色素、癸巳化成株式会社製）：０．０００２０質量％。
・水：バランス（全体が１００質量％なるように調整）。
【００９７】
＜液体洗浄剤を用いた触感の評価方法＞
全自動電気洗濯機（商品名「ＪＷ−Ｚ２３Ａ」、Ｈａｉｅｒ社製）に、液体洗浄剤６．２５ｇを投入し、そこへ市販の綿タオル（東進株式会社製）を１０枚入れ、１５℃の３°ＤＨ硬水を使用し、標準コース、水量１５Ｌにて洗濯処理した。洗濯後の綿タオルを、直射日光の当たらない場所で一晩吊り干しして乾燥させた。
乾燥後の綿タオルを２５℃、湿度６５％ＲＨの恒温恒湿室に１日放置して、これを試験布とした。
評価は特徴的な臭気のない部屋で、室温（２５℃）で行った。
被験者に試験布を畳む作業を行ってもらい、上記の評価基準に基づき、ふっくらとしたボリュームのある触感及びからっと乾いた触感を評価した。
その結果、ふっくらとしたボリュームのある触感及びからっと乾いた触感が両者共に「○」であった。